(57)【要約】【課題】開閉扉６０について所定の高さ寸法を確保しつつ入賞装置の高さ寸法を短くする。【解決手段】基板部５１と、基板部５１に形成された開口部５２と、開口部５２よりも下方に位置する回動軸６４ａ，６４ｂを中心に、その先端部が基板部５１とほぼ同一の奥行方向位置に位置して開口部５２を閉じる閉位置と、その先端部が基板部５１よりも手前側に位置して開口部５２を開く開位置との間を揺動可能に配設される開閉扉６０とを有し、開閉扉６０は、閉位置に位置する状態において、その基端部からその先端部に向かうにつれて上方に向かうとともに手前側に向かうように鉛直から傾斜している。開口部５２のうちの上縁部における肉厚部分には、下方から上方に向かうにつれて手前側に向かうように水平から傾斜する傾斜部５５が形成されており、開閉扉６０は、閉位置に位置する状態において、その先端部が傾斜部５５と重なる。【選択図】図４
2006223487.tif 000002
【特許請求の範囲】
【請求項１】
遊技盤のおもて面に対して接触した状態で取り付けられる基板部と、
前記基板部に形成された開口部と、
前記開口部に対して、前記開口部よりも下方に位置する回動軸を中心に、その先端部が前記基板部とほぼ同一の奥行方向位置に位置して前記開口部を閉じる閉位置と、その先端部が前記基板部よりも手前側に位置して前記開口部を開く開位置との間を揺動可能に配設される開閉扉とを有し、
前記開閉扉は、前記閉位置に位置する状態において、その基端部からその先端部に向かうにつれて、上方に向かうとともに手前側に向かうように鉛直から傾斜している、
パチンコ機の入賞装置。
【請求項２】
請求項１に記載のパチンコ機の入賞装置であって、
前記開口部のうちの上縁部における肉厚部分には、下方から上方に向かうにつれて手前側に向かうように水平から傾斜する傾斜部が形成されており、
前記開閉扉は、前記閉位置に位置する状態において、その先端部が前記傾斜部と重なるものである、
パチンコ機の入賞装置。
【発明の詳細な説明】
【技術分野】
【０００１】
本発明は、パチンコ機における入賞装置に関するものである。
【背景技術】
【０００２】
一般的に、パチンコ機はほぼ鉛直な遊技盤を有し、その遊技盤の手前側には、ほぼ鉛直なガラス窓が配設されている。発射装置から発射されたパチンコ球（遊技球）は、遊技盤上（遊技盤とガラス窓との間の空間内）において転動する。
そして、多くのパチンコ機においては、遊技盤のほぼ中央に役物（センター役物）が設けられ、その下方には始動入賞口が設けられ、その下方には大入賞口（入賞装置）が設けられている。
遊技盤上を転動したパチンコ球が始動入賞口に入ると、センター役物の表示部における図柄が所定の時間変動表示され、その後、最終的な図柄が静止表示される。静止表示された図柄には「当たり」と「はずれ」とがあり、「当たり」の場合には、大入賞口が所定の回数開くようにされている。それによって、大入賞口（入賞装置）に複数のパチンコ球が入る（入賞する）ことが可能となり、その入賞に伴って、多数のパチンコ球が賞球として賞球払い出し装置から払い出される。
【０００３】
ところで、近年においては、センター役物における表示等についても趣向が凝らされる傾向にあり、それに伴って、センター役物の大きさが大きくなってきている。
一方、遊技盤（遊技領域）の大きさは、基本的に所定の寸法とされている。
このことから、その分、入賞装置（大入賞口）の寸法（特に高さ寸法）を短くすることが求められている。
【０００４】
ここで、従来の入賞装置の一例として、次のようなものがある。
図５に示すように、その入賞装置１３０は、遊技盤１１１のおもて面に対して接触した状態で取り付けられる基板部１５１を有し、その基板部１５１には開口部１５２が形成されている。
開口部１５２に対して、開閉扉１６０が、開口部１５２よりも下方に位置する回動軸１６４を中心に、閉位置と開位置との間を揺動可能に設けられている。
図５（ａ）に示すように、開閉扉１６０は、閉位置に位置する状態で、その基端部から先端部に向かうにつれてほぼ鉛直に（すなわち、遊技盤１１１とほぼ平行に）延び、その先端部が基板部１５１とほぼ同一の奥行方向位置に位置して開口部１５２を閉じる。また、図５（ｂ）に示すように、開閉扉１６０は、開位置に位置する状態で、その先端部が基板部１５１よりも手前側に位置して開口部１５２を開く。
【０００５】
そして、開閉扉１６０が開位置に位置する状態において（図５（ｂ））、開閉扉１６０の先端部とガラス窓１１２との間の距離が所定以下となる必要がある。そうでないと、パチンコ球（ガラス窓１１２の側を流下するパチンコ球）が開位置にある開閉扉１６０とガラス窓１１２との間の空間を通過して流下したり、開閉扉１６０の上端部とガラス窓１１２との間の隙間に詰まってしまい、入賞装置１３０に円滑に入賞することができないことになってしまうからである。
【０００６】
ここで、パチンコ機において、一般的に、遊技盤１１１とガラス窓１１２との間の距離は所定の寸法とされている。
これらのことから、開閉扉１６０については、閉位置に位置する状態において（図５（ａ））、その高さ寸法（正確には、回動軸１６４と開閉扉１６０の先端部との間の寸法）が所定以上のものが必要となる。
そして、それに伴って、入賞装置１３０（開口部１５２）について所定以上の高さ寸法が必要となり、入賞装置１３０の高さ寸法を短くする上でネックとなっていた。
【発明の開示】
【発明が解決しようとする課題】
【０００７】
本発明は、開閉扉について所定の高さ寸法を確保しつつ、入賞装置の高さ寸法を短くすることを目的とする。
【課題を解決するための手段】
【０００８】
上記の目的を達成するために、請求項１に係る発明は、遊技盤のおもて面に対して接触した状態で取り付けられる基板部と、前記基板部に形成された開口部と、前記開口部に対して、前記開口部よりも下方に位置する回動軸を中心に、その先端部が前記基板部とほぼ同一の奥行方向位置に位置して前記開口部を閉じる閉位置と、その先端部が前記基板部よりも手前側に位置して前記開口部を開く開位置との間を揺動可能に配設される開閉扉とを有し、前記開閉扉は、前記閉位置に位置する状態において、その基端部からその先端部に向かうにつれて、上方に向かうとともに手前側に向かうように鉛直から傾斜している、パチンコ機の入賞装置である。
【０００９】
ここで、「上方に向かうとともに手前側に向かうように鉛直から傾斜している」には、平板状（縦断面において直線状）の場合に限らず、曲板状（縦断面において曲線状）の場合も含まれる。
【００１０】
この発明のパチンコ機の入賞装置では、開閉扉が閉位置に位置する状態において、その開閉扉は、その基端部からその先端部に向かうにつれて、上方に向かうとともに手前側に向かうように鉛直から傾斜しているため、閉位置に位置する状態で鉛直の場合よりも、長い高さ寸法を有することができる。
このことから、逆に、基板部（その開口部）の高さ寸法がその分短くても、開閉扉の高さ寸法（回動軸と開閉扉の先端部との間の距離）は、開位置に位置する際に必要とされる長さを確保することができることとなる。
こうして、この入賞装置では、開口部の高さ寸法を短くすることができ、基板部（入賞装置）の高さ寸法を短くすることができる。
【００１１】
請求項２に係る発明は、請求項１に係る発明のパチンコ機の入賞装置であって、前記開口部のうちの上縁部における肉厚部分には、下方から上方に向かうにつれて手前側に向かうように水平から傾斜する傾斜部が形成されており、前記開閉扉は、前記閉位置に位置する状態において、その先端部が前記傾斜部と重なるものである、パチンコ機の入賞装置である。
【００１２】
「下方から上方に向かうにつれて手前側に向かうように水平から傾斜する」には、平面状（縦断面において直線状）の場合に限らず、曲面状（縦断面において曲線状）の場合も含まれる。
【００１３】
この発明のパチンコ機の入賞装置では、請求項１に係る発明のパチンコ機の入賞装置の作用及び効果に加えて、次の作用及び効果が得られる。
すなわち、この入賞装置では、基板部の開口部のうちの上縁部における肉厚部分には傾斜部が形成されており、開閉扉が閉位置に位置する状態において、開閉扉の先端部が、その傾斜部（基板部）と重なっている。
このため、基板部の開口部の上縁部における肉厚部分に傾斜部が形成されておらず、閉位置に位置する状態の開閉扉の先端部が基板部と重なっていない場合よりも、開閉扉は、長い高さ寸法を有することができる。
このことから、逆に、基板部（その開口部）の高さ寸法がその分短くても、開閉扉の高さ寸法（回動軸と開閉扉の先端部との間の距離）は、開位置に位置する際に必要とされる長さを確保することができることとなる。
こうして、この入賞装置では、この点でも、開口部の高さ寸法を短くすることができ、基板部（入賞装置）の高さ寸法を短くすることができる。
【発明の効果】
【００１４】
以上のように、本発明では、基板部（入賞装置）の高さ寸法を短くすることができ、その分、役物を大きくすることが可能となる。
【発明を実施するための最良の形態】
【００１５】
次に、本発明の一実施形態について、図面に基づいて説明する。
まず、パチンコ機の一例について、その概略を説明する。
図１に示すように、このパチンコ機は筐体１０を有し、筐体１０の内部には、ほぼ鉛直な遊技盤１１が配設されている。遊技盤１１の手前側には、ガラス窓１２が設けられている。ガラス窓１２（遊技盤１１）の下方には、ハンドル１４や賞球払い出し装置（図示省略）が設けられている。
【００１６】
遊技盤１１には、外側レール１５及び内側レール１６が設けられており、内側レール１６の内側が遊技領域（符号省略）とされている。そして、遊技者がハンドル１４を操作することによって発射されたパチンコ球は、遊技領域へと導かれる。
【００１７】
遊技盤１１（遊技領域）には、多数の釘（図示省略）や風車２６が設けられているとともに、複数の普通入賞口２４が設けられている。普通入賞口２４にパチンコ球が入った場合には、例えば１５個のパチンコ球が賞球として賞球払い出し装置から払い出される。
【００１８】
遊技盤１１のほぼ中央にはセンター役物２０が設けられている。センター役物２０には、表示部（符号省略）が設けられている。センター役物２０の下方には始動入賞口２２が設けられ、その下方には入賞装置（大入賞口）３０（図２も参照）が設けられている。
そして、始動入賞口２２にパチンコ球が入る（これを入賞という）と、センター役物２０の表示部における図柄が所定の時間変動表示され、その後、最終的な図柄が静止表示される。静止表示された図柄には「当たり」と「はずれ」とがあり、「当たり」の場合（例えば「７７７」）には、入賞装置（大入賞口）３０が所定の回数開くようにされている。例えば、１６回開き、１回当たり１０個のパチンコ球が入るまで開いたままとなる。そして、１個のパチンコ球の入賞に対して、１５個のパチンコ球が賞球として賞球払い出し装置から払い出される。
【００１９】
次に、入賞装置３０について、詳しく説明する。
図３に示すように、入賞装置３０は、ベース部材４０，前板部材５０，開閉扉６０，ステージ形成部材７０，上蓋部材８０等を有しており、それらが結合されて形成されている（図２も参照）。
【００２０】
図３に示すように、前板部材５０は、基板部５１を有している。基板部５１は、横長の長方形状をなし、ほぼ鉛直平面状をしている。基板部５１には、開口部５２が形成されている。
前板部材５０には、奥方向に向かって突出する一対の取付棒材５８ａ，５８ｂが設けられている。図中右側の取付棒材５８ｂは、ベース部材４０の被取付部４８に取り付けられ、図中左側の取付棒材５８ａは上蓋部材８０の被取付部８８に取り付けられている。こうして、前板部材５０は、ベース部材４０等に対して取り付けられている。
【００２１】
前板部材５０（基板部５１）にはビス孔５９が形成されている。そして、基板部５１が遊技盤１１（そのおもて面）に対して密着する状態で、前板部材５０（入賞装置３０）は、ビス（図示省略）によって、遊技盤１１に対して取り付けられている。
【００２２】
開閉扉６０は、開口部５２に対応して横長の長方形状の板状をしており、開口部５２の位置に対応した位置に配設されている。そして、後に詳述するように、閉位置（図２（ａ），図４（ａ））と開位置（図２（ｂ），図４（ｂ））との間を変位することによって、開口部５２を開閉する。
【００２３】
図３に示すように、ステージ形成部材７０は、ベース部材４０のうちの手前側部分に対して、その上方から取り付けらている。
ステージ形成部材７０には、ステージ部７２が形成されている（図２（ｂ）も参照）。そして、開閉扉６０が開位置に位置する際に、開口部５２を通って入賞装置３０内に入賞したパチンコ球は、ステージ部７２上を転動し、下流側に流れていく。
図３に示すように、ステージ部７２の下流側には、球通過センサ７５が設けられている。球通過センサ７５によって、ステージ部７２を転動したパチンコ球が検知され、入賞装置３０内に入賞したパチンコ球の数が認識される。
上蓋部材８０は、ベース部材４０及びステージ形成部材７０に対して、その上方から取り付けられている。
【００２４】
図２及び図３に示すように、開閉扉６０の左右の各縁部には、板状部６２ａ，６２ｂが形成されている。各板状部６２ａ，６２ｂは、開閉扉６０が開状態の際に、開閉扉６０内のパチンコ球が外部に溢れ出ることを防止する。
図３に示すように、各板状部６２ａ，６２ｂの下端部には軸孔６３ａ，６３ｂが形成されている。各軸孔６３ａ，６３ｂには、回動軸６４ａ，６４ｂが、その軸回り方向に回転可能に嵌合されている。
【００２５】
ベース部材４０には、左右一対の軸材支持部４２ａ，４２ｂが形成されている。各軸材支持部４２ａ，４２ｂは、ともに一対の溝状の軸材嵌合部４３ａａ，４３ａｂ，４３ｂａ，４３ｂｂを有している。
そして、各回動軸６４ａ，６４ｂが各軸材支持部４２ａ，４３ｂ（その各軸材嵌合部４３ａａ，４３ａｂ，４３ｂａ，４３ｂｂ）に、その軸回り方向に回動可能に嵌合され支持されている。
こうして、開閉扉６０は、開口部５２よりも下方に位置しほぼ水平に（このパチンコ機の幅方向に）延びる回動軸６４ａ，６４ｂを中心に揺動（回動）可能に、ベース部材４０に取り付けられている。
【００２６】
ベース部材４０に対して、ソレノイド９０が配設されている。ソレノイド９０は、ソレノイド収容箱９１に収容され、ソレノイド収容箱９１は、ベース部材４０に対して取り付けられている。
ソレノイド９０には、プランジャ９２が出没可能に設けられている。プランジャ９２は、圧縮スプリング９４によってソレノイド９０から突出する方向に付勢されており、ソレノイド９０が非励磁状態の際にプランジャ９２が突出状態であり、ソレノイド９０が励磁状態の際にプランジャ９２が没入状態である。プランジャ９２の先端部には、フランジ状の係合部９３が形成されている。
【００２７】
プランジャ９２と開閉扉６０との間には、回動部材９５が配設されている。
回動部材９５は回動軸９６を有し、回動軸９６は、ベース部材４０に設けられた一対の溝状の回動軸嵌合部４６ａ，４６ｂに対して回動可能に嵌合されている。回動軸嵌合部４６ａ，４６ｂは、ステージ形成部材７０によって塞がれている。
こうして、図４に示すように、回動部材９５は、回動軸９６を中心に回動可能とされている。
【００２８】
図３に示すように、回動部材９５には、被係合部９７及び作用部９８が形成されている。両者は、回動軸９６を中心にほぼ９０度の角度を隔てて２方向に延びるように形成されている。
被係合部９７には、プランジャ９２の係合部９３が係合されている。このため、プランジャ９２が突出状態と没入状態との間を変位することによって、作用部９８（その先端部）が下降位置（図４（ａ））と上昇位置（図４（ｂ））との間を変位する。
【００２９】
図２（ｂ）等に基づいて前述したように、開閉扉６０の左右の各縁部には板状部６２ａ，６２ｂが形成されている。そして、左側の板状部６２ａは、右側の板状部６２ｂよりも大きく形成されており、左側の板状部６２ａには、切欠状の被係合部６５が形成されている。図４に示すように、被係合部６５には、回動部材９５の作用部９８が係合している。
このため、図４（ａ）に示すように、作用部９８が下降位置に位置する状態で、開閉扉６０は閉位置に位置する。一方、図４（ｂ）に示すように、作用部９８が上昇位置に位置する状態で、開閉扉６０は開位置に位置する。
そのようになるように、各部材の寸法や相互の位置関係が設定されている。
【００３０】
図４に示すように、基板部５１（前板部材５０）の開口部５２のうちの上縁部における肉厚部分には、傾斜部５５が形成されている。傾斜部５５は、下方から上方に向かうにつれて手前側に向かうように、水平から傾斜している。
【００３１】
図２（ａ）及び図４（ａ）に示すように、開閉扉６０は、閉位置に位置する状態において、その基端部からその先端部に向かうにつれて、上方に向かうとともに手前側に向かうように鉛直から傾斜している。
また、開閉扉６０が閉位置に位置する状態において、その先端部が基板部５１とほぼ同一の奥行方向位置に位置している。そして、開閉扉６０の先端部（上端部）は、開口部５２の傾斜部５５と重なっている。
【００３２】
また、図２（ｂ）及び図４（ｂ）に示すように、開閉扉６０は、開位置に位置する状態において、その先端部が基板部５１よりも手前側に位置する。その際、開閉扉６０は、その基端部から先端部に向かうにつれて徐々に上方に向かうように若干傾斜している。
そして、その際、開閉扉６０（その先端部）とガラス窓１２との間の距離は、所定以下とされている。すなわち、その間の隙間を通ってパチンコ球が流下したり、その隙間にパチンコ球が詰まってしまうことがなく、パチンコ球が、円滑に、開状態の開閉扉６０に受けられ、開口部５２を通って入賞装置３０内に入賞するようにされている。
【００３３】
次に、このパチンコ機の入賞装置３０の作用について説明する。
図４（ａ）に基づいて前述したように、この入賞装置３０では、ほぼ鉛直でガラス窓１２とほぼ平行の基板部５１（その開口部５２）に対して、開閉扉６０が、閉位置に位置する状態においても、その基端部からその先端部に向かうにつれて、上方に向かうとともに手前側に向かうように鉛直から傾斜している。
このため、基板部５１（その開口部５２）の高さ寸法が所定のものであるという条件の下において、閉位置に位置する状態で鉛直の場合（図５（ａ）参照）よりも、開閉扉６０は、長い高さ寸法を有することができる。
【００３４】
このことから、逆に、基板部５１（その開口部５２）の高さ寸法がその分短くても、開閉扉６０（正確には、回動軸６４ａ，６４ｂと開閉扉６０の先端部との間の距離）は、開位置に位置する際に必要とされる高さ寸法（その先端部とガラス窓１２との間の距離が所定以下となる寸法）を確保することができることとなる。
こうして、この入賞装置３０では、開口部５２の高さ寸法を短くすることができ、基板部５１（入賞装置３０）の高さ寸法を短くすることができる。
【００３５】
また、図４（ａ）に基づいて前述したように、この入賞装置３０では、前板部材５０の開口部５２のうちの上縁部における肉厚部分には傾斜部５５が形成されており、開閉扉６０が閉位置に位置する状態において、開閉扉６０の先端部が開口部５２の傾斜部５５（基板部５１）と重なっている。
このため、仮に基板部５１（その開口部５２）の高さ寸法が所定のものであるという条件の下において、基板部５１（１５１）の開口部５２（１５２）の上縁部における肉厚部分に傾斜部５５が形成されておらず、閉位置に位置する状態の開閉扉６０（１６０）の先端部が基板部５１（１５１）と重なっていない、という場合（図５（ａ）参照）よりも、開閉扉６０は、長い高さ寸法を有することができる。
【００３６】
このことから、逆に、基板部５１（その開口部５２）の高さ寸法がその分短くても、開閉扉６０（正確には、回動軸６４ａ，６４ｂと開閉扉６０の先端部との間の距離）は、開位置に位置する際に必要とされる高さ寸法（その先端部とガラス窓１２との間の距離が所定以下となる寸法）を確保することができることとなる。
こうして、この入賞装置３０では、この点でも、開口部５２の高さ寸法を短くすることができ、基板部５１（入賞装置３０）の高さ寸法を短くすることができる。
【００３７】
なお、上記のものはあくまで本発明の一実施形態にすぎず、当業者の知識に基づき種々の変更を加えた態様で本発明を実施できることはもちろんである。
【図面の簡単な説明】
【００３８】
【図１】本発明の一実施形態のパチンコ機の正面図である。
【図２】本発明の一実施形態のパチンコ機の入賞装置を示す斜視図である。（ａ）は開閉扉が閉位置に位置する状態を示し、（ｂ）は開閉扉が開位置に位置する状態を示す。
【図３】本発明の一実施形態のパチンコ機の入賞装置を示す分解斜視図である。
【図４】本発明の一実施形態のパチンコ機の入賞装置を示す縦断面図である。（ａ）は開閉扉が閉位置に位置する状態を示し、（ｂ）は開閉扉が開位置に位置する状態を示す。
【図５】従来のパチンコ機の入賞装置を示す縦断面図である。（ａ）は開閉扉が閉位置に位置する状態を示し、（ｂ）は開閉扉が開位置に位置する状態を示す。
【符号の説明】
【００３９】
１１  遊技盤
５１  基板部
５２  開口部
５５  傾斜部
６０  開閉扉
６４ａ，６４ｂ  回動軸
【図１】
2006223487.tif 000003
【図２】
2006223487.tif 000004
【図３】
2006223487.tif 000005
【図４】
2006223487.tif 000006
【図５】
2006223487.tif 000007